(57)【要約】【課題】コンベックス型やベベル型矩形状水晶振動片の長手方向の両端部を固定する水晶振動子の振動片折れを防止する。【解決手段】水晶片を搭載する段部を設けたバネ形状サポートを固定した一対のリード線を、金属環の長手方向両端部近傍に絶縁部材を介して気密かつ絶縁して封着した気密端子を有し、前記一対のバネ形状サポートの段部には、長手方向両端付近に傾斜部を有する矩形状水晶片の両端部を固着する水平部と該矩形状水晶片の長手方向端部の両端を位置決めする立上げ部を具備する水晶振動子の支持構造において、前記矩形状水晶片長手方向端部を搭載する水平部を設けたバネ形状サポートの矩形状水晶片支持部を前記段部より気密端子中央部に形成した水晶振動子の支持構造とする。【選択図】      図６
2004312548.tif 000002
【特許請求の範囲】
【請求項１】
水晶片を搭載する段部を設けたバネ形状サポートを固定した一対のリード線を、金属環の長手方向両端部近傍に絶縁部材を介して気密かつ絶縁して封着した気密端子を有し、前記一対のバネ形状サポートの段部には、長手方向両端付近に傾斜部を有する矩形状水晶片の両端部を固着する水平部と該矩形状水晶片の長手方向端部の両端を位置決めする立上げ部を具備する水晶振動子の支持構造において、前記矩形状水晶片長手方向端部を搭載する水平部を設けたバネ形状サポートの矩形状水晶片の支持部を前記段部より気密端子中央部に形成したことを特徴とする水晶振動子の支持構造。
【発明の詳細な説明】
【０００１】
【発明の属する技術分野】
本発明は、水晶振動子の支持構造に関するものである。
【０００２】
【従来の技術】
矩形状の水晶片の両端部を固定する支持構造は、目的に応じていろいろな構造が考案されている。中でも水晶振動子に衝撃が加わった時に水晶片が破損するのを防止することは重要課題であり、多くの出願が見られる。水晶片を搭載する段部を設けた一対のリード線を、金属環の長手方向両端部近傍に絶縁部材を介して気密かつ絶縁して封着した気密端子を有し、前記一対の段部には、矩形状水晶片の両端部を固着する水平部と該水晶片の長手方向端部の両端を位置決めする立上げ部を具備する水晶振動子の保持器が開示されている。（例えば、特許文献１）
【０００３】
さらに、衝撃時に水晶片に加わる応力を緩和する構造として、リード線とは別体のバネ性を有するサポートをリード線に固定してサポート部に水晶片を固定する構造が開示されている。（例えば、特許文献２）
【０００４】
図１は本発明に係わる水晶振動子１の外観斜視図である。水晶振動子１の容器は、封止管２、気密端子３、２本のリ−ド線４で構成されている。
【０００５】
図２は気密端子の斜視図である。気密端子３は、バネ形状サポ−ト５、金属環６、２本のリ−ド線４、絶縁部材７、で構成されている。水晶片を搭載する段部５ａを設けたバネ形状サポート５を固定した一対のリ−ド線４を、金属環６の長手方向両端部近傍に絶縁部材７を介して気密かつ絶縁して封着した気密端子であり、前記一対のバネ形状サポート５の段部５ａには、矩形状水晶片の両端部を固着する水平部５ｃと該水晶片の長手方向端部の両端を位置決めする立上げ部５ｂが形成されている。
【０００６】
図３は本発明に係わる気密端子に長手方向両端付近に傾斜部を有する矩形状水晶片を固定した正面図である。長手方向両端付近に傾斜部を有する矩形状水晶片８は、銀ペースト等の導電性接着剤９により長手方向両端部を一対のバネ形状サポート５に固定されている。長手方向両端付近に傾斜部を有する矩形状水晶片８は、一対の立上げ部５ｂで長手方向の位置決めがされ、下面傾斜部がバネ形状サポート５の段部角５ｄで支持され、水平部５ｃに導電性接着剤９で固定されている。
【０００７】
図４は本発明に係わるバネ形状サポート（片側）の拡大斜視図である。段部５ａは、矩形板を加工したもので、長手方向一端部に立上げ部５ｂ、水平部５ｃ、段部角５ｄ、段部立上げ部５ｅが形成されている。リード線４には固定部５ｆで溶接等により固定されるが、バネ形状サポート５の固定部５ｆから矩形状水晶片８の長手方向端部が固定される段角部５ｄまでの距離を稼いで応力を緩和するためのバネ性を高めるＵ字状溝５ｇが形成されている。
【０００８】
【特許文献１】
実開昭６０−６３３７号公報（第５図）
【特許文献２】
特開昭６１−１５７０１７号公報（第１図）
【０００９】
【発明が解決しようとする課題】
長手方向両端付近に傾斜部を有する矩形状水晶片を組込んだ水晶振動子に外部から強い衝撃が加わった時、従来技術によるバネ形状サポートを使用した水晶振動子の支持構造では、矩形状水晶片両端部の厚みが薄い部分に、衝撃による応力が集中することで、矩形状水晶片の両端部（支持部である段部角に当たる部分）に折れが発生する。これは、矩形状水晶片の中でも、コンベックス型とベベル型に限定され、フラット型には、同一の折れは発生しない。
【００１０】
【課題を解決するための手段】
水晶片を搭載する段部を設けたバネ形状サポートを固定した一対のリード線を、金属環の長手方向両端部近傍に絶縁部材を介して気密かつ絶縁して封着した気密端子を有し、前記一対のバネ形状サポートの段部には、長手方向両端付近に傾斜部を有する矩形状水晶片の両端部を固着する水平部と該矩形状水晶片の長手方向端部の両端を位置決めする立上げ部を具備する水晶振動子の支持構造において、前記矩形状水晶片長手方向端部を搭載する水平部を設けたバネ形状サポートの矩形状水晶片支持部を前記段部より気密端子中央部に形成した水晶振動子の支持構造とする。
【００１１】
【発明の実施の形態】
図５は本発明に係わる矩形状水晶振動片の斜視図である。（Ａ）はコンベックス型であり、（Ｂ）はベベル型である。コンベックス型８Ａとベベル型８Ｂは、矩形状水晶片中心部の厚さに比べ、矩形状水晶片の両端部の厚みを薄く形成するものであり、端部に向かい薄くなる傾斜部が設けられている。傾斜部は、矩形状水晶片の振動エネルギーを矩形状水晶片の中心部の閉じ込め、支持部から振動エネルギーが漏洩するのを防止することを目的に形成される。
【００１２】
図６は本発明による水晶振動子の支持構造に使用するバネ形状サポートの一実施形態を示す斜視図（片側）である。矩形状水晶片端部を搭載するバネ形状サポ−ト１０の段部には水平部１０ａと段部立ち上げ部１０ｃが形成されており、さらに、水平部１０ａから気密端子中心部に延びる水晶片支持部１０ｂを形成したバネ形状サポ−トである。水晶片支持部１０ｂは段部立上げ部１０ｃを切り欠いて形成しており、水晶片支持部１０ｂが気密端子中心部に延びた分だけ矩形状水晶片の中央部を支持することになる。水晶片支持部１０ｂは長ければ良いというものではなく、矩形状水晶片に斜面部を設ける意義を考慮し、適切な長さにする必要がある。
【００１３】
図７は本発明による水晶振動子の支持構造に使用するバネ形状サポートの他の実施形態を示す斜視図（片側）である。矩形状水晶片端部を搭載するバネ形状サポ−ト１１の段部には水平部１１ａと段部立ち上げ部１１ｃが形成されており、さらに、水平部１１ａから気密端子中心部に延びる２つの水晶片支持部１１ｂを形成したバネ形状サポ−トである。２つの水晶片支持部１１ｂは段部立上げ部１１ｃを切り欠いて形成しており、水晶片支持部１１ｂが気密端子中心部に延びた分だけ矩形状水晶片の中央部を支持することになる。
【００１４】
【発明の効果】
本発明の水晶振動子の支持構造によれば、コンベックス型またはベベル型の矩形状水晶片への応力が集中する点を矩形状水晶片の薄い部分から、矩形状水晶片が厚い部分へ移動することで、衝撃による矩形状水晶片の折れの発生がなくなり品質が安定した。
【図面の簡単な説明】
【図１】本発明に係わる水晶振動子の外観斜視図
【図２】気密端子の斜視図
【図３】本発明に係わる気密端子に長手方向両端付近に傾斜部を有する矩形状水晶片を固定した正面図
【図４】本発明に係わるバネ形状サポート（片側）の拡大斜視図
【図５】本発明に係わる矩形状水晶振動片の斜視図で（Ａ）はコンベックス型、（Ｂ）ベベル型
【図６】本発明による水晶振動子の支持構造に使用するバネ形状サポートの一実施形態を示す斜視図（片側）
【図７】本発明による水晶振動子の支持構造に使用するバネ形状サポートの他の実施形態を示す斜視図（片側）
【符号の説明】
１    水晶振動子
２    封止管
３    気密端子
４    リ−ド線
５    バネ形状サポ−ト
５ａ  バネ形状サポ−トの水晶片固定部。
５ｂ  段部
５ｃ  水平部
５ｄ  段部角
５ｅ  段部立上げ部
５ｆ  固定部
５ｇ  Ｕ字状溝
６    金属環
７    絶縁部材
８    矩形状水晶片
８Ａ  コンベックス型水晶片
８Ｂ  ベベル型水晶片
９    導電性接着剤
１０    バネ形状サポート
１０ａ  水平部
１０ｂ  水晶片支持部
１０ｃ  段部立上げ部
１１    バネ形状サポート
１１ａ  水平部
１１ｂ  水晶片支持部
１１ｃ  段部立上げ部
【図１】
2004312548.tif 000003
【図２】
2004312548.tif 000004
【図３】
2004312548.tif 000005
【図４】
2004312548.tif 000006
【図５】
2004312548.tif 000007
【図６】
2004312548.tif 000008
【図７】
2004312548.tif 000009